(57)【要約】  給気送風機により室外側吸込口から室外空気を吸込み、熱交換器の給気熱交換通路を通して室内側吹出口から室内に給気する給気路と、排気送風機により室内側吸込口から室内空気を吸込み、前記熱交換器の排気熱交換通路を通して室外側吹出口から室外に排気する排気路と、がケーシング内に形成された熱交換換気装置において、前記ケーシングの中央に配置され、前記給気送風機又は排気送風機から吹出された空気を滞留させるとともに前記熱交換器の方向へ向ける溜り部と、該溜り部に連続し前記熱交換器に向かってベルマウス状に拡幅する出口部と、を有する吹出しチャンバーを備える。
2010109662.tif 000002
【特許請求の範囲】
【請求項１】
給気送風機により室外側吸込口から室外空気を吸込み、熱交換器の給気熱交換通路を通して室内側吹出口から室内に給気する給気路と、排気送風機により室内側吸込口から室内空気を吸込み、前記熱交換器の排気熱交換通路を通して室外側吹出口から室外に排気する排気路と、がケーシング内に形成された熱交換換気装置において、
前記ケーシングの中央に配置され、前記給気送風機又は排気送風機から吹出された空気を滞留させるとともに前記熱交換器の方向へ向ける溜り部と、該溜り部に連続し前記熱交換器に向かってベルマウス状に拡幅する出口部と、を有する吹出しチャンバーを備えることを特徴とする熱交換換気装置。
【請求項２】
前記吹出しチャンバーの壁部は、滑らかな連続曲面で形成されていることを特徴とする請求項１に記載の熱交換換気装置。
【請求項３】
前記吹出しチャンバーの出口部に、整流板、邪魔板、パンチングメタル及びフィルターのうちのいずれか一つ又は複数種類を設置したことを特徴とする請求項１に記載の熱交換換気装置。
【発明の詳細な説明】
【技術分野】
【０００１】
本発明は、熱交換器を介して給気と排気との間で熱交換を行なう熱交換換気装置に関するものである。
【背景技術】
【０００２】
従来、直方体箱型のケーシングの上側に設置された熱交換器と、ケーシングの左側に配置された排気風路と、右側に配置された給気風路と、を備え、空気が熱交換器の片側へ集中して送風される熱交換換気装置が開示されている（例えば、特許文献１参照）。【０００３】
【特許文献１】特開２００３−１８５２１３号公報
【発明の開示】
【発明が解決しようとする課題】
【０００４】
しかしながら、上記従来の熱交換換気装置は、空気が熱交換器の片側へ集中して送風され、熱交換器全体へ均等に送風されず、熱交換器の熱交換効率が低い、という問題がある。また、熱交換器の入口の風速分布が不均一となり、最高風速が速くなって運転音が高くなり、風路の圧力損失も大きい、という問題がある。【０００５】
本発明は、上記に鑑みてなされたものであって、空気を熱交換器全体へ均等に送風することができる熱交換換気装置を得ることを目的とする。
【課題を解決するための手段】
【０００６】
上述した課題を解決し、目的を達成するために、本発明は、給気送風機により室外側吸込口から室外空気を吸込み、熱交換器の給気熱交換通路を通して室内側吹出口から室内に給気する給気路と、排気送風機により室内側吸込口から室内空気を吸込み、前記熱交換器の排気熱交換通路を通して室外側吹出口から室外に排気する排気路と、がケーシング内に形成された熱交換換気装置において、前記ケーシングの中央に配置され、前記給気送風機又は排気送風機から吹出された空気を滞留させるとともに前記熱交換器の方向へ向ける溜り部と、該溜り部に連続し前記熱交換器に向かってベルマウス状に拡幅する出口部と、を有する吹出しチャンバーを備えることを特徴とする。
【発明の効果】
【０００７】
本発明にかかる熱交換換気装置は、空気を熱交換器全体へ均等に送風することができる、という効果を奏する。
【図面の簡単な説明】
【０００８】
【図１】図１は、本発明にかかる熱交換換気装置の実施の形態の内部を示す上面図である。
【図２】図２は、実施の形態の熱交換換気装置の内部を示す斜視図である。
【図３】図３は、実施の形態の熱交換換気装置の内部を示す図２とは異なる方向の斜視図である。
【図４】図４は、実施の形態の熱交換換気装置の給気用送風機と室外側仕切部材の分解斜視図である。
【図５−１】図５−１は、実施の形態の室外側仕切部材の斜視図である。
【図５−２】図５−２は、実施の形態の室外側仕切部材の図５−１とは異なる方向の斜視図である。
【図６】図６は、実施の形態の室外側仕切部材の変形例を示す斜視図である。
【符号の説明】
【０００９】
１１  熱交換器
１１ａ  給気熱交換通路
１１ｂ  排気熱交換通路
１２ａ  給気フィルタ
１２ｂ  排気フィルタ
１３  ケーシング
１３ａ  室外側側板
１３ｂ  室内側側板
１４  室内側仕切部材
１５  室外側仕切部材
１５ａ  先端エッジ部
１５ｂ  吸気チャンバー
１５ｃ  吹出しチャンバー
１５ｄ  チャンバー吹出口
１５ｅ  凹曲面
１５ｆ  一側部
１５ｇ  凸曲面
１５ｈ  溜り部
１５ｉ  出口部
１５ｓ  整流板
１６  給気送風機
１７  排気送風機
２１  室外側吸込口
２２  給気路
２３  室内側吹出口
２５  室内側吸込口
２６  排気路
２７  室外側吹出口
３１  メンテナンスパネル
３３  天板
９０  熱交換換気装置
【発明を実施するための最良の形態】
【００１０】
以下に、本発明にかかる熱交換換気装置の実施の形態を図面に基づいて詳細に説明する。なお、この実施の形態によりこの発明が限定されるものではない。【００１１】
実施の形態
図１は、本発明にかかる熱交換換気装置の実施の形態の内部を示す上面図であり、図２は、実施の形態の熱交換換気装置の内部を示す斜視図であり、図３は、実施の形態の熱交換換気装置の内部を示す図２とは異なる方向の斜視図である。【００１２】
図１〜図３に示すように、実施の形態の熱交換換気装置９０は、室外空気対室内空気の熱交換を行う熱交換器１１が、直方体箱形に形成されたケーシング１３内に設置され、同時給排気により、熱交換を行いながら室内の換気を行う。【００１３】
熱交換換気装置９０には、給気送風機１６により室外側吸込口２１から室外空気（ＯＡ：Ｏｕｔｄｏｏｒ  Ａｉｒ）を吸込み、熱交換器１１の給気熱交換通路１１ａを通して室内側吹出口２３から室内に給気（ＳＡ：Ｓｕｐｐｌｙ  Ａｉｒ）する給気路２２と、排気送風機１７により室内側吸込口２５から室内空気（ＲＡ：Ｒｅｔｕｒｎ  Ａｉｒ)を吸込み、熱交換器１１の排気熱交換通路１１ｂを通して室外側吹出口２７から室外に排気（ＥＡ：Ｅｘｈａｕｓｔ  Ａｉｒ）する排気路２６と、が形成されている。給気熱交換通路１１ａの入口には、給気フィルタ１２ａが設置され、排気熱交換通路１１ｂの入口には、排気フィルタ１２ｂが設置されている。【００１４】
ケーシング１３内に、熱交換器１１、室内側仕切部材１４、室外側仕切部材１５、給気送風機１６及び排気送風機１７を設置することにより、給気路２２と排気路２６が形成される。給気送風機１６は、ケーシング１３の室外側左隅に設置され、排気送風機１７は、室外側右隅に設置されている。これらの機器を設置後に、ケーシング１３の室外寄り（送風機設置側）を天板３３でカバーし、室内寄り（熱交換器１１設置側）をメンテナンスパネル３１でカバーする。【００１５】
四角柱状に形成された熱交換器１１は、ケーシング１３内の室内側側板１３ｂ寄りに、室内側側板１３ｂと平行に、ケーシング１３の略全幅に亘って設置され、四角の下側角部をケーシング１３の底板に当接させ、下側角部の対角の上側角部をケーシング１３の室内寄りをカバーするメンテナンスパネル３１に当接させる。また、熱交換器１１の室内側角部を室内側仕切部材１４に当接させ、室外側角部を室外側仕切部材１５の先端エッジ部１５ａ（図５−１参照）に当接させている。【００１６】
給気路２２は、ケーシング１３の室外側側板１３ａに設けられた室外側吸込口２１→給気送風機１６内→室外側仕切部材１５の上側→給気フィルタ１２ａ→給気熱交換通路１１ａ→室内側仕切部材１４の下側→室内側側板１３ｂに設けられた室内側吹出口２３を経由する通風路として形成される。【００１７】
一方、排気路２６は、ケーシング１３の室内側側板１３ｂに設けられた室内側吸込口２５→室内側仕切部材１４の側方→排気フィルタ１２ｂ→排気熱交換通路１１ｂ→室外側仕切部材１５の下側→排気送風機１７内→ケーシング１３の室外側側板１３ａに設けられた室外側吹出口２７を経由する通風路として形成される。【００１８】
図４は、実施の形態の熱交換換気装置の給気用送風機と室外側仕切部材の分解斜視図であり、図５−１は、実施の形態の室外側仕切部材の斜視図であり、図５−２は、実施の形態の室外側仕切部材の図５−１とは異なる方向の斜視図である。【００１９】
図４〜図５−２に示すように、室外側仕切部材１５の上側には、ケーシング１３の室外側左隅に配置され、給気送風機１６を収容するとともに、室外側吸込口２１から吸込まれた外気を給気送風機１６に供給する吸気チャンバー１５ｂと、給気送風機１６から吹出された外気を熱交換器１１に供給する吹出しチャンバー１５ｃと、給気送風機１６の吹出口を吹出しチャンバー１５ｃに連通するチャンバー吹出口１５ｄが形成されている。【００２０】
吹出しチャンバー１５ｃは、給気送風機１６と排気送風機１７の間のケーシング１７の中央に配置され、室外側（奥部）が閉塞され、熱交換器１１に向かってベルマウス状に拡幅する出口部１５ｉを有している。チャンバー吹出口１５ｄは、吹出しチャンバー１５ｃの閉塞された奥部の一側部に設けられ、奥部の他側部（壁部）は凹曲面１５ｅとなっている。吹出しチャンバー１５ｃの出口部１５ｉ側の一側部（壁部）１５ｆは、図５−１の左側へ拡幅し、他側部（壁部）は、奥部の凹曲面１５ｅに滑らかに連続して図５−１の右側へ大きく拡幅する凸曲面１５ｇとなっている。吹出しチャンバー１５ｃの奥部は、吹出された空気の溜り部１５ｈとなる。【００２１】
チャンバー吹出口１５ｄから吹出された空気は、吹出しチャンバー１５ｃの奥部の凹曲面１５ｅに当たり、奥部の溜り部１５ｈに蓄えられるとともに、熱交換器１１方向へ向けられ、風路断面積が拡大する出口部１５ｉのベルマウス形状により動圧から静圧に変換され、熱交換器１１の全長に亘り入口部の風速分布が均一化される。これにより、熱交換器１１の熱交換効率を向上させることができる。また、熱交換器１１の給気熱交換通路１１ａの風速分布が均一化されて最大風速が低下し、運転音が軽減される。【００２２】
図６は、実施の形態の室外側仕切部材の変形例を示す斜視図である。変形例の室外側仕切部材１５は、吹出しチャンバー１５ｃの出口部１５ｉに、空気の流れを整える２枚のフィン状の整流板１５ｓを設けている。この整流板１５ｓにより、熱交換器１１の入口部の風速分布をさらに均一化することができる。【００２３】
また、整流板１５ｓを空気の流れ方向に対して直角に向けて邪魔板としても、熱交換器１１の入口部の風速分布を均一化することができる。さらに、吹出しチャンバー１５ｃの出口部１５ｉに、パンチングメタル又はフィルターを設置してもよい。また、整流板１５ｓ、邪魔板、パンチングメタル及びフィルターのうちの複数種類を設置してもよい。【００２４】
なお、以上説明した、熱交換換気装置９０は、給気送風機１６及び給気路２２と、排気送風機１７及び排気路２６とを、逆にしてもよい。
【産業上の利用可能性】
【００２５】
以上のように、本発明にかかる熱交換換気装置は、熱交換効率が高く、低騒音の装置として有用である。
【図１】
2010109662.tif 000003
【図２】
2010109662.tif 000004
【図３】
2010109662.tif 000005
【図４】
2010109662.tif 000006
【図５−１】
2010109662.tif 000007
【図５−２】
2010109662.tif 000008
【図６】
2010109662.tif 000009
【国際調査報告】
2010109662.tif 000010
2010109662.tif 000011